(57)【要約】      （修正有）【課題】画像解析サーバに問い合わせるときの通信データ量を削減する情報処理装置及び方法を提供する。【解決手段】システム制御部２１６は、撮像部２０６による撮像画像からに含まれるオブジェクト毎にその領域を取得し、オブジェクト管理データをシステムメモリ２２６に格納する。システム制御部２１６は、オブジェクト管理テーブルの、画像解析結果を受信していないオブジェクトについて、その領域の画像から問合せ用画像を作成し、通信部２４６を介して画像解析サーバに問い合わせる。システム制御部２１６は、画像解析サーバから受信した問合せ結果を受信し、対応するオブジェクトに関連付けてオブジェクト管理テーブルに格納する。【選択図】図２
2019101783.tif 000002
【特許請求の範囲】
【請求項１】
画像データに含まれるオブジェクト毎に領域を取得する手段と、
前記オブジェクト毎に領域を収容するオブジェクト管理テーブルを記憶する記憶手段と、
前記記憶手段に記憶される前記オブジェクトの領域に従い前記オブジェクトを示す問合せ用画像を作成し、前記問合せ用画像を画像解析サーバに問い合わせる問合せ手段と、
前記画像解析サーバから問合せ結果を受信し、対応する前記オブジェクトに関連付けて前記オブジェクト管理テーブルに格納する受信手段
とを有することを特徴とする情報処理装置。
【請求項２】
前記画像データが、撮像手段により取得される撮像画像データであることを特徴とする請求項１に記載の情報処理装置。
【請求項３】
前記記憶手段は、前記画像データに続く第２の画像データに新たに含まれるオブジェクトを記憶し、前記第２の画像データに含まれないオブジェクトを削除することを特徴とする請求項１または２に記載の情報処理装置。
【請求項４】
前記問合せ手段は、前記記憶手段に記憶される前記オブジェクトの内で前記問合せ結果を受信していないオブジェクトについて、前記問合せ用画像を作成し前記画像解析サーバに問い合わせることを特徴とする請求項１から３のいずれか１項に記載の情報処理装置。
【請求項５】
前記問合せ手段は、前記領域の画像が問合せ最小サイズより小さいオブジェクトについて、前記画像解析サーバに問合せを行わないことを特徴とする請求項１から４のいずれか１項に記載の情報処理装置。
【請求項６】
前記問合せ手段は、前記領域の画像が問合せ最大サイズより大きいオブジェクトについて、前記領域の画像を縮小して前記問合せ用画像を作成し、前記画像解析サーバに問い合わせることを特徴とする請求項１から５のいずれか１項に記載の情報処理装置。
【請求項７】
前記問合せ手段は、前記領域の画像を所定サイズの範囲に拡大・縮小して前記問合せ画像を作成する手段を有することを特徴とする請求項５または６に記載の情報処理装置。
【請求項８】
画像データに含まれるオブジェクト毎に領域を取得し、取得した領域をオブジェクト管理テーブルに格納するステップと、
前記オブジェクト管理テーブルに記憶される前記オブジェクトの領域に従い前記オブジェクトを示す問合せ用画像を作成するステップと、
作成された前記問合せ用画像を画像解析サーバに問い合わせるステップと、
前記画像解析サーバから問合せ結果を受信し、対応する前記オブジェクトに関連付けて前記オブジェクト管理テーブルに格納するステップ
とを有することを特徴とする情報処理方法。
【発明の詳細な説明】
【技術分野】
【０００１】
本発明は、画像データに含まれるオブジェクトを画像解析サーバに問い合わせる情報処理装置及び方法に関する。
【背景技術】
【０００２】
撮像装置による撮像画像または画像再生装置からの画像データをネットワークを介してサーバに送信し、当該サーバに画像解析を行わせる画像解析システムが知られている。
【０００３】
特許文献１には、サーバが携帯端末のカメラで撮像された画像からオブジェクトを抽出及び識別し、識別結果でデータベースを検索し、検索結果を携帯端末に送信する構成が記載されている。
【先行技術文献】
【特許文献】
【０００４】
【特許文献１】特開２００３−３２３６２０号公報
【発明の概要】
【発明が解決しようとする課題】
【０００５】
サーバが画像解析の学習を行い、情報処理装置が学習結果を使って推論を行う役割分担のシステム構成が知られている。画像解析の学習は日々改善が進められ、それに合わせて学習結果も日々更新され改善される。この学習結果を使って行う推論処理だけでも、処理能力が求められるようになっている。先行技術でも、サーバ側で画像解析の推論をすることが行われている。
【０００６】
サーバ側で画像解析の推論をするためには、情報処理装置から都度、画像全体を何度も送信するか、ストリーム送信する必要があり、通信量が多くなってしまう。
【０００７】
本発明は、画像解析用にサーバに送信するデータ量を削減出来る情報処理装置及び方法を提示することを目的とする。
【課題を解決するための手段】
【０００８】
本発明に係る情報処理装置は、画像データに含まれるオブジェクト毎に領域を取得する手段と、前記オブジェクト毎に領域を収容するオブジェクト管理テーブルを記憶する記憶手段と、前記記憶手段に記憶される前記オブジェクトの領域に従い前記オブジェクトを示す問合せ用画像を作成し、前記問合せ用画像を画像解析サーバに問い合わせる問合せ手段と、前記画像解析サーバから問合せ結果を受信し、対応する前記オブジェクトに関連付けて前記オブジェクト管理テーブルに格納する受信手段とを有することを特徴とする。
【発明の効果】
【０００９】
本発明によれば、オブジェクト毎に切り出して作成した画像を画像解析サーバに送信するので、通信データ量を削減することができる。
【図面の簡単な説明】
【００１０】
【図１】本発明の一実施例のシステム構成例である。
【図２】本実施例の概略構成ブロック図である。
【図３】本実施例の画面例である。
【図４】本実施例のオブジェクト管理テーブルの構成例である。
【図５Ａ】本実施例の動作フローチャートである。
【図５Ｂ】図５Ａに続く本実施例の動作フローチャートである。
【発明を実施するための形態】
【００１１】
以下、図面を参照して、本発明の実施例を詳細に説明する。
【実施例１】
【００１２】
図１は、本発明に係る画像解析システムの概略構成ブロック図を示す。情報処理装置１０１は、ネットワーク１０４を介して画像解析サーバ１０３と標準プロトコルで通信する。情報処理装置１０１は、動画像を出力する撮像部と、撮像部の出力動画像の各撮像画像データからオブジェクト及びその同一性を認識するオブジェクト認識部と、各オブジェクトを包含する画像部分を撮像画像データから分離する分離部を具備する。情報処理装置１０１はまた、撮像部から出力される動画像に基づく動画像と静止画像を記録、再生する記録再生部と、撮像部から出力される動画像及び記録再生部から出力される動画像と静止画像を表示する表示部とを具備する。
【００１３】
情報処理装置１０１は、各撮像画像に含まれる各オブジェクトを示す画像（オブジェクト画像）又は問合せ用画像を、それぞれのオブジェクト識別情報と撮像画像の識別情報（例えばフレーム番号）と共に画像解析サーバ１０３に送信する。画像解析サーバ１０３は、情報処理装置１０１からのオブジェクト画像を画像解析し、解析結果をオブジェクト識別情報及び画像識別情報とともに、ＨＴＭＬまたはＸＭＬ等の記述言語のフォーマットで情報処理装置１０１に送信する。画像解析は、オブジェクトの、人、車、犬、山及び建物などの種別を判定し、可能であれば名称も識別する。
【００１４】
情報処理装置１０１は、画像解析サーバ１０３からの解析結果に従い、対応する動画像の対応するフレームに被写体の種類や名称をタグ付けし、必要により表示部により表示する。また、情報処理装置１０１は、画像解析サーバ１０３の解析結果に従い、撮影モードの選択または撮像画像の処理に利用する。
【００１５】
図２は、情報処理装置１０１として使用する撮像装置の概略構成ブロック図を示す。撮影レンズ２０２は、ズームレンズ及びフォーカスレンズを含む。シャッタ２０４は絞り機能を備える。撮像部２０６は、光学像を電気信号に変換するＣＣＤ又はＣＭＯＳの撮像素子等で構成される。Ａ／Ｄ変換部２０８は、撮像部２０６から出力されるアナログ信号をデジタル信号に変換する。バリア２１０は、撮影レンズ２０２を含む撮像部を覆うことにより、撮影レンズ２０２、シャッタ２０４及び撮像部２０６を含む撮像系を汚れや破損から保護する。
【００１６】
画像処理部２１２は、Ａ／Ｄ変換部２０８からの画像データ又はメモリ制御部２１４からの画像データに対し所定の画素補間及び縮小といったリサイズ処理並びに色変換処理を行う。画像処理部２１２は、撮像した画像データに所定の演算処理を行い、得られた演算結果に基づいてシステム制御部２１６が露光制御及び測距制御を行う。
【００１７】
Ａ／Ｄ変換部２０８からの出力データは、画像処理部２１２及びメモリ制御部２１４を介して、或いは、メモリ制御部２１４を介してメモリ２１８に直接書き込まれる。メモリ２１８は、撮像部２０６によって得られＡ／Ｄ変換部２０８によりデジタルデータ化された画像データ、及び表示部２２２に表示するための画像データを格納する。メモリ２１８は、所定枚数の静止画像や所定時間の動画像および音声を格納するのに十分な記憶容量を備えている。
【００１８】
メモリ２１８は、画像表示用メモリ（ビデオメモリ）を兼ねる。Ｄ／Ａ変換部２２０は、メモリ２１８に格納されている表示用画像データをアナログ信号に変換して表示部２２２に供給する。こうして、表示部２２２は、メモリ２１８に書き込まれた表示用画像データの示す画像を表示する。
【００１９】
不揮発性メモリ２２４は電気的に消去・記録可能なメモリであり、例えばＥＥＰＲＯＭ等が用いられる。不揮発性メモリ２２４には、システム制御部２１６の動作用の定数及びプログラム等が記憶される。ここでいうプログラムは、後述する動作をシステム制御部２１６に実現させるプログラムである。
【００２０】
システム制御部２１６は、撮像装置全体を制御する。システム制御部２１６は、不揮発性メモリ２２４に記録された制御プログラムを実行することで以下に説明する各処理を実現する。システムメモリ２２６は、ＲＡＭからなる。システムメモリ２２６には、システム制御部２１６の動作用の定数及び変数、並びに不揮発性メモリ２２４から読み出したプログラム等が展開される。
【００２１】
モード切替えスイッチ２２８は、撮像装置の動作モードとして静止画記録モード、動画記録モード及び再生モード等のいずれかへの切り替えをシステム制御部２１６に指示する。第１シャッタスイッチ２３０は、シャッタボタンの操作途中、いわゆる半押し（撮影準備指示）でオンとなって、第１シャッタスイッチ信号ＳＷ１を発生する。第１シャッタスイッチ信号ＳＷ１により、システム制御部２１６は、撮像の前処理（自動合焦、露出決定等）を開始する。第２シャッタスイッチ２３２は、シャッタボタンの操作完了、いわゆる全押し（撮影指示）でオンとなり、第２シャッタスイッチ信号ＳＷ２を発生する。システム制御部２１６は、第２シャッタスイッチ信号ＳＷ２により、撮像部２０６からの信号読み出しから記録媒体２５０への画像データの書き込みまでの一連の撮影処理の動作を開始する。
【００２２】
操作部２３４は、表示部２２２の画面上に配置されるタッチパネルを含み、表示部２２２に表示される種々の機能アイコンの選択操作により各機能アイコンに割り当てられた操作指示をシステム制御部２１６に入力できる。機能ボタンとしては、例えば確認ボタン、終了ボタン、戻るボタン、画像送りボタン、ジャンプボタン、絞込みボタン及び属性変更ボタンなどがある。例えば、メニューボタンが押されると、各種の設定メニュー画面が表示部２２２に表示される。ユーザは、表示部２２２に表示されたメニュー画面と、画面上の機能ボタン又は、上下左右の４方向ボタン（十字キー）及びＳＥＴボタンを用いて、各種設定を行うことができる。
【００２３】
コントローラホイール２３６は、操作部２３４に含まれる回転操作可能な操作部材であり、方向ボタンと共に選択項目を指示する際などに使用される。コントローラホイール２３６を回転操作すると、操作量に応じて電気的なパルス信号が発生し、このパルス信号に基づいてシステム制御部２１６は撮像装置の各部を制御する。このパルス信号によって、システム制御部２１６は、コントローラホイール２３６が回転操作された角度及び回転量などを判定できる。
【００２４】
コントローラホイール２３６は回転操作を検出できる操作部材であればどのようなものでもよい。例えば、ユーザの回転操作に応じてコントローラホイール２３６自体が回転してパルス信号を発生するダイヤル操作部材であってもよい。また、タッチセンサよりなる操作部材で、コントローラホイール２３６自体は回転せず、コントローラホイール２３６上でのユーザの指の回転動作などを検出するものであってもよい。これは、いわゆるタッチホイールである。
【００２５】
コントローラリング２３８は、操作部２３４に含まれる回転操作部材であり、レンズ鏡筒周りで光軸を中心として回転する操作が可能である。例えばコントローラリング２３８を操作することで、コントローラリング２３８は、回転量（操作量）に応じた数の電気的なパルス信号を発生し、システム制御部２１６に供給する。システム制御部２１６は、コントローラリング２３８からのパルス信号に基づいて撮像装置の各構成部を制御する。コントローラリング２３８は機能切替えボタンを有し、この機能切替えボタンがユーザにより押されると、システム制御部２１６は、コントローラリング２３８に割り当てる機能を変更可能なメニュー画面を表示部２２２に表示させる。
【００２６】
コントローラホイール２３６及びコントローラリング２３８は、通常モード項目の選択及び値の変更に用いられる。
【００２７】
電源スイッチ２４０により、撮像装置の電源のオン／オフを切り替えることができる。
【００２８】
電源制御部２４２は、電池検出回路、ＤＣ−ＤＣコンバータ、及び通電するブロックを切り替えるスイッチ回路等により構成され、電池の装着の有無、電池の種類及び電池残量を検出する。また、電源制御部２４２は、その検出結果及びシステム制御部２１６の指示に基づいてＤＣ−ＤＣコンバータを制御し、必要な電圧を必要な期間、記録媒体２５０を含む各部に供給する。
【００２９】
電源部２４４は、アルカリ電池やリチウム電池等の一次電池やＮｉＣｄ電池やＮｉＭＨ電池、Ｌｉ電池等の二次電池又はＡＣアダプタ等からなる。
【００３０】
通信部２４６は、無線または有線ケーブルを介して他の装置と通信し、画像データ及び制御信号を含む種々のデータを送受信できる。
【００３１】
記録媒体Ｉ／Ｆ（インターフェース）２４８には、メモリカードやハードディスク等の記録媒体２５０が接続する。
【００３２】
ネットワークＩ／Ｆ２５２は、システム制御部２１６による制御下でネットワークを介して他の機器（ここでは、画像解析サーバ１０３）と通信する。
【００３３】
図３は、表示部２２２の画面例を示す。３０３は、オブジェクトの一例として「車」を示す。３０４は、オブジェクトの一例として「人」を示す。３０５は、オブジェクト３０３のオブジェクト画像として切り出した領域を示す。３０６は、オブジェクト３０４のオブジェクト画像として切り出した領域を示す。図３では、説明の便宜上、オブジェクト画像として切り出した領域３０５、３０６を図示しているが、領域３０５，３０６を表示部２２２に表示しなくても良い。
【００３４】
システム制御部２１６は、撮像画像から認識されたオブジェクトの情報をシステムメモリ２２６のオブジェクト管理テーブルに格納して管理する。図４は、オブジェクト管理テーブルのデータ構造例を示す。４０１は、オブジェクト画像として切り出した領域の管理番号（オブジェクト管理番号）を示す。４０２は、オブジェクト画像を切り出した領域を示す。４０３は、オブジェクトの単位時間当たりの移動方向・速度を示す。４０４は、画像解析サーバ１０３から返信された問合せ結果を示す。
【００３５】
４０５は、オブジェクト３０３の情報を収容するレコード又はエントリを示す。オブジェクト３０３が、単位時間当たり右方向に２０ピクセルで移動している。画像解析サーバ１０３は、このオブジェクト３０３を「車」と判定している。４０６は、オブジェクト３０４の情報を収容するレコードまたはエントリを示す。オブジェクト３０４は、単位時間当たり左方向に１ピクセルの移動している。画像解析サーバ１０３は、このオブジェクト３０４を「人」と判定している。
【００３６】
説明の便宜上、管理番号１のオブジェクトは右方向へ、管理番号２のオブジェクトは左方向への単純移動としているが、３次元のどの方向であってもよく、単位時間当たりの移動をピクセルとしたが実際のオブジェクトの距離であってもよい。
【００３７】
図５Ａ及び図５Ｂは、情報処理装置１０１の動作フローチャートを示す。Ａ／Ｄ変換部２０８から画像処理部２１２に撮像画像の画像データが入力すると、システム制御部２１６は、図５に示す処理を開始する。説明の便宜上、画像処理部２１２がＡ／Ｄ変換部２０８からの画像データを取り込むタイミングを図５Ａ及び図５Ｂに示す処理を実行するタイミングとしたが、一定時間単位で図５Ａ及び図５Ｂに示す処理を実行しても良い。
【００３８】
Ｓ５０１で、システム制御部２１６は、移動方向、速度及び距離などから個々のオブジェクトを判断し、オブジェクト単位にオブジェクト画像（の領域）を取得する。オブジェクトの認識及び分離には、顔認識などで公知の技術を利用すれば良い。
【００３９】
Ｓ５０２で、システム制御部２１６は、Ｓ５０１で識別した各オブジェクトを図４に示すオブジェクト管理テーブルと照合する。具体的には、システム制御部２１６は、前回の照合時間と、対応するオブジェクトの移動方向・速度４０３とから、同じオブジェクトがオブジェクト管理テーブルに含まれ続けているかどうか、及び新たなオブジェクトが出現しているかどうかを判断する。
【００４０】
ステップＳ５０３で、システム制御部２１６は、Ｓ５０２の照合の結果として、オブジェクト管理テーブルで管理される全オブジェクトがＳ５０１で検出されたかどうかを判断する。システム制御部２１６は、オブジェクト管理テーブルの全オブジェクトが検出されている場合、Ｓ５０５に進み、オブジェクト管理テーブルの一つのオブジェクトでも検出されない場合、すなわち、１以上のオブジェクトが撮影範囲に存在しない場合、Ｓ５０４に進む。Ｓ５０４で、システム制御部２１６は、オブジェクト管理テーブルで管理されていたが、Ｓ５０１で識別されなかったオブジェクトのレコードをオブジェクト管理テーブルから削除し、Ｓ５０５に進む。
【００４１】
ステップＳ５０５で、システム制御部２１６は、Ｓ５０２の照合の結果として、オブジェクト管理テーブルには無いオブジェクトが検出されたかどうかを判断する。システム制御部２１６は、新たなオブジェクトが検出された場合、Ｓ５０６に進み、そうでない場合、Ｓ５０７に進む。Ｓ５０６で、システム制御部２１６は、新たに認識されたオブジェクトのレコードをオブジェクト管理テーブルに追加し、Ｓ５０７に進む。
【００４２】
Ｓ５０３〜Ｓ５０６により、撮影範囲から外れたオブジェクトのレコードがオブジェクト管理テーブルから削除され、撮影範囲に新たに入ったオブジェクトのレコードがオブジェクト管理テーブルに追加される。この段階では、画像解析サーバ１０３に解析結果を問い合わせる前なので、新たなオブジェクトに対する問合せ結果４０４は空白となる。
【００４３】
Ｓ５０７で、システム制御部２１６は、Ｓ５０２の照合結果に従い、オブジェクト管理テーブルの対応するオブジェクトについて、領域４０２及び移動方向と速度４０３を調整する。オブジェクト管理テーブルで管理される各オブジェクトについて、各オブジェクトの画像領域と、加減速及び移動方向が更新される。
【００４４】
Ｓ５０８で、システム制御部２１６は、オブジェクト管理テーブルの、解析結果が空白のレコードの管理番号を抽出し、管理番号配列に格納する。
【００４５】
Ｓ５０９で、システム制御部２１６は、変数ｉｄｘに０を、変数ｃｏｕｎｔにＳ５０８で抽出した管理番号数を設定する。
【００４６】
Ｓ５１０で、システム制御部２１６は、変数ｉｄｘと変数ｃｏｕｎｔを比較する。変数ｉｄｘが変数ｃｏｕｎｔ以上の場合、システム制御部２１６は、図５Ａ及び図５Ｂに示す処理を終了する。変数ｉｄｘが変数ｃｏｕｎｔ未満の場合、システム制御部２１６は、Ｓ５１１に進む。
【００４７】
Ｓ５１１〜ＳＳ５１６の処理で、領域４０２の画像を問合せ用に拡大・縮小する。
【００４８】
Ｓ５１１で、システム制御部２１６は、管理番号配列の変数ｉｄｘが示す場所に格納される管理番号の、オブジェクト管理テーブルのレコードの領域４０２が画像解析サーバ１０３への問合せ最小サイズより小さいかどうかを判断する。システム制御部２１６は、領域４０２のサイズが問合せ最小サイズ以上の場合、Ｓ５１２に進み、問合せ最小サイズより小さい場合は、Ｓ５１５に進む。
【００４９】
Ｓ５１２で、システム制御部２１６は、管理番号配列の変数ｉｄｘが示す場所に格納される管理番号の、オブジェクト管理テーブルのレコードの領域４０２が画像解析サーバ１０３への問合せ最大サイズより大きいかどうかを判断する。システム制御部２１６は、領域４０２のサイズが問合せ最大サイズより大きい場合、Ｓ５１３に進み、問合せ最大サイズ以下の場合は、Ｓ５１４に進む。
【００５０】
Ｓ５１３で、システム制御部２１６は、管理番号配列の変数ｉｄｘが示す場所に格納される管理番号の、オブジェクト管理テーブルのレコードの領域４０２の画像を所定サイズに縮小した画像を画像解析サーバ１０３への問合せ用に作成する。これにより、画像解析サーバ１０３への問合せに要する通信量を抑制出来る。画像サイズの縮小処理は、オブジェクトによっては省略しても良い。
【００５１】
Ｓ５１４で、システム制御部２１６は、管理番号配列の変数ｉｄｘが示す場所に格納される管理番号の、オブジェクト管理テーブルのレコードの領域４０２の画像を問合せ用に撮像画像から切り出して作成する。
【００５２】
Ｓ５１５で、システム制御部２１６は、画像解析サーバ１０３への問い合わせのために拡大した画像を作成するか否かを確認する。例えば、ユーザが事前に拡大の要否を設定しておく。システム制御部２１６は、拡大画像を作成する設定の場合、Ｓ５１６に進み、拡大画像を作成しない設定の場合、Ｓ５１９に進む。拡大処理により、画像解析が難しいサイズのオブジェクトを画像解析できるサイズに拡大できる。また、拡大しない場合でも、オブジェクト管理テーブルに問合せ結果のないデータなので、次回の処理で問合せ最小サイズ以上になることで、画像解析の対象となる。
【００５３】
Ｓ５１６で、システム制御部２１６は、管理番号配列の変数ｉｄｘが示す場所に格納される管理番号の、オブジェクト管理テーブルのレコードの領域４０２の画像を拡大して、問合せ用画像を作成する。静止画の場合で、レンズ２０２が光学ズーム機能を有するときには、拡大処理を光学的に実現しても良い。
【００５４】
Ｓ５１３の縮小後のサイズ、及び、Ｓ５１６の拡大後のサイズを、通信状況に応じて決定するようにしてもよい。これにより、通信状況の良否に応じて通信データ量を制御出来る。
【００５５】
Ｓ５１７で、システム制御部２１６は、Ｓ５１３，Ｓ５１４，Ｓ５１６で作成された画像の解析を画像解析サーバ１０３に問い合わせる。この問合せに際して、システム制御部２１６は、撮像画像とオブジェクトを特定する情報も一緒に画像解析サーバ１０３に送信する。
【００５６】
Ｓ５１８で、システム制御部２１６は、管理番号配列の変数ｉｄｘが示す場所に格納される管理番号の、オブジェクト管理テーブルのレコードの問合せ結果４０４に画像解析サーバ１０３から返信された解析結果を格納する。すなわち、システム制御部２１６は、画像解析サーバ１０３による解析結果をオブジェクト管理テーブルの問い合わせ結果４０４に、対応するオブジェクトに関連付けて格納する。
【００５７】
Ｓ５１９で、システム制御部２１６は、変数ｉｄｘに１を加算（インクリメント）し、Ｓ５１１に戻る。
【００５８】
説明の便宜上、各オブジェクトの解析を順次、画像解析サーバ１０３に問い合わせているが、並列に逐次問い合わせてもよい。
【００５９】
このように、オブジェクト毎に撮像画像から切り出して得られるオブジェクト画像を画像解析サーバに送信して画像解析させるので、情報処理装置から画像解析サーバへの通信データ量を削減出来る。
【００６０】
情報処理装置１０１は、問合せ結果４０４をもとに、タグ付け、吹き出し表示、撮影モードの選択または撮影結果の送信などの後工程の処理を制御する。
【００６１】
情報処理装置１０１としてデジタルカメラを採用した構成を説明したが、１以上の監視カメラの撮像画像を処理し、各オブジェクトの画像解析結果を撮像画像に合成表示する監視カメラシステムの制御装置にも、本発明は適用可能である。
【００６２】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【００６３】
また、上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。
【００６４】
従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。
【００６５】
その場合、プログラムの機能を有していれば、オブジェクトコード、インタプリタにより実行されるプログラム、ＯＳに供給するスクリプトデータ等、プログラムの形態を問わない。
【００６６】
プログラムを供給するための記録媒体としては、例えば、ハードディスク、磁気テープ等の磁気記録媒体、光／光磁気記憶媒体、不揮発性の半導体メモリでもよい。
【００６７】
また、プログラムの供給方法としては、コンピュータネットワーク上のサーバに本発明を形成するコンピュータプログラムを記憶し、接続のあったクライアントコンピュータがコンピュータプログラムをダウンロードして実行するような方法も考えられる。
【図１】
2019101783.tif 000003
【図２】
2019101783.tif 000004
【図３】
2019101783.tif 000005
【図４】
2019101783.tif 000006
【図５Ａ】
2019101783.tif 000007
【図５Ｂ】
2019101783.tif 000008